(57)【特許請求の範囲】
【請求項１】
フロアの両側に固定された一対のスライダを有する自動車において、
折り畳みテーブルの一対の前脚を上記スライダに固定あるいは摺動自在に取り付け、一対の後脚を上記スライダに摺動自在に取り付ける一方、上記前脚と後脚との間に少なくとも二つの平板状部材を折り畳み自在に取り付け、少なくとも上記後脚を上記スライダにロックする第一ロック機構を設けたことを特徴とする自動車用折り畳みテーブル。
【請求項２】
上記第一ロック機構を、上記一対の後脚の少なくとも一方に上下動自在に取り付けられたリンクと、該リンクを連動させる第一操作部材とにより構成し、該第一操作部材を操作することにより上記リンクを対応する上記スライダと嵌脱させることにより上記後脚をロックオンあるいはロックオフするようにした請求項１に記載の自動車用折り畳みテーブル。
【請求項３】
上記平板状部材に第二ロック機構を設け、テーブルのセットあるいは折り畳みに際し、上記第二ロック機構に設けられた第二操作部材を操作することにより上記平板状部材を互いにロックオンあるいはロックオフするようにした請求項１に記載の自動車用折り畳みテーブル。
【発明の詳細な説明】
【０００１】
【発明の属する技術分野】
本発明は、自動車用折り畳みテーブルに関する。
【０００２】
【従来の技術】
最近、種々の用途に利用できるＲＶ車（レジャー用多目的車）が注目されており、ＲＶ車においては、車室内を有効利用できるように様々な工夫がなされている。
【０００３】
例えば、車内にテーブルを設置できるスペースを設けたり、シートバックを折り畳むことによりテーブルとして使用することも提案されている。また、キャンプ地等において、寝るスペースを確保するためにシートをフルフラット状態とし簡易ベッドとして使用できるようにしたものも提案されている。
【０００４】
【発明が解決しようとする課題】
しかしながら、車内にテーブルを設置できるスペースを設けても、別体のテーブルを準備し車内に搬入する等の煩わしい作業が必要となる。また、シートバックを折り畳んでテーブルとして使用する場合には、後席は少なくとも２列必要となり、シートをフルフラット化して簡易ベッドとして使用する場合にも、後席を２列設けたほうが望ましく、後席が１列の場合、十分なスペースを確保することができないという問題があった。
【０００５】
本発明は、従来技術の有するこのような問題点に鑑みてなされたものであり、後席が摺動自在に取り付けられたロングスライダを利用して車内に収納し、必要に応じ、簡易テーブルあるいは簡易ベッドとして使用することのできる自動車用折り畳みテーブルを提供することを目的としている。
【０００６】
【課題を解決するための手段】
上記目的を達成するために、本発明のうちで請求項１に記載の発明は、フロアの両側に固定された一対のスライダを有する自動車において、折り畳みテーブルの一対の前脚を上記スライダに固定あるいは摺動自在に取り付け、一対の後脚を上記スライダに摺動自在に取り付ける一方、上記前脚と後脚との間に少なくとも二つの平板状部材を折り畳み自在に取り付け、少なくとも上記後脚を上記スライダにロックする第一ロック機構を設けたことを特徴とする自動車用折り畳みテーブルである。
【０００７】
また、請求項２に記載の発明は、上記第一ロック機構を、上記一対の後脚の少なくとも一方に上下動自在に取り付けられたリンクと、該リンクを連動させる第一操作部材とにより構成し、該第一操作部材を操作することにより上記リンクを対応する上記スライダと嵌脱させることにより上記後脚をロックオンあるいはロックオフするようにしたことを特徴とする。
【０００８】
さらに、請求項３に記載の発明は、上記平板状部材に第二ロック機構を設け、テーブルのセットあるいは折り畳みに際し、上記第二ロック機構に設けられた第二操作部材を操作することにより上記平板状部材を互いにロックオンあるいはロックオフするようにしたことを特徴とする。
【０００９】
【発明の実施の形態】
以下、本発明の実施の形態について、図面を参照しながら説明する。
図１および図２はＲＶ車を示しており、その内部に後席Ｓと本発明にかかる折り畳みテーブル２とが収容されている。ＲＶ車のフロア両側には、一対のロングスライダ４が固定されており、後席Ｓはロングスライダ４に摺動自在に取り付けられる一方、折り畳みテーブル２の一対の前脚６，６はロングスライダ４に固定され、一対の後脚８，８はロングスライダ４に摺動自在に取り付けられている。
【００１０】
折り畳みテーブル２は通常、図１に示されるように、折り畳んだ状態で収納されており、必要に応じ、図２に示されるように、簡易テーブルとして使用できるばかりでなく、図２の破線で示されるように、後席Ｓのシートバックを後倒することにより簡易ベッドとして使用することもできる。
【００１１】
図３に示されるように、上記前脚６，６および後脚８，８は、それぞれ逆Ｕ字状部材に一体的に形成されており、前脚６，６と後脚８，８との間には、二つの平板状部材１０，１２が折り畳み自在に取り付けられている。
【００１２】
前脚６，６の最下端には、図４に示されるように、開口を有するプレート１４，１４が固着されており、Ｔ字ボルト１６，１６の頭部１６ａ，１６ａをロングスライダ４，４の内部に収容するとともに、そのねじ部１６ｂ，１６ｂをロングスライダ４，４の上部壁中央部に形成されたスリット４ａ，４ａと、プレート１４，１４の開口とを挿通させ、ナット１８，１８で固定することにより、前脚６，６をロングスライダ４，４に固定している。なお、プレート１４，１４とロングスライダ４，４の上部壁との間には、スペーサ２０，２０が介装せしめられているが、前脚６，６を適当な長さにすれば、スペーサ２０，２０は必ずしも必要ではない。
【００１３】
図５は後脚８，８のロック機構を示しており、ハンドル２２を操作してリンク２４，２４を上下することにより後脚８，８をロックオンあるいはロックオフするようにしたものである。
【００１４】
図５に示されるように、ハンドル２２は、後脚８，８が一体的に形成された逆Ｕ字状部材の水平部２６に沿って延在せしめられ、ハンドル２２中央のＵ字状に折曲された操作部２２ａは水平部２６に形成された切欠２６ａの下方に配置されている。ハンドル２２の両端は、後脚８，８の上部に接合されたＬ字状ブラケット２７，２７を介してレバー２８，２８の一端に固着されるとともに、レバー２８，２８の他端は後脚８，８に沿って摺動自在のリンク２４，２４にピン３０，３０を介して回動自在に連結されている。リンク２４，２４の中間部は、後脚８，８に接合されたリブ３２，３２に遊挿されており、リンク２４，２４の前後あるいは左右方向の移動が規制されている。なお、ブラケット２７，２７とレバー２８，２８との間のハンドル２２端部にはスプリング３４，３４が取り付けられており、スプリング３４，３４の一端がブラケット２７，２７に係止されるとともに、その他端がレバー２８，２８に係止されることにより、ハンドル２２を矢印Ａ方向に付勢している。
【００１５】
また、図３に示されるように、後脚８，８の下端には、後方に折曲されたブラケット３６，３６が一体的に形成されており、ロングスライダ４，４に摺動自在に取り付けられたローラ３８，３８がボルト４０，４０によりブラケット３６，３６に固定されている。各ローラ３８は、前後二組の車輪４２，４２と、車輪４２，４２を回動自在に支承するプレート４４，４４と、プレート４４，４４を一体的に連結する連結部材４６とからなり、連結部材４６の水平部中央には、対応するリンク２４の下端が遊挿される矩形開口４６ａが穿設されている。
【００１６】
一方、平板状部材１０の前端は、図３に示されるように、前脚６，６の上端部にピン４８，４８を介して回動自在に連結されており、平板状部材１２の後端も同様に、後脚８，８の上端部にピン５０，５０を介して回動自在に連結されている。平板状部材１０，１２の中央部下面の所定距離離間した二ケ所には、図６に示されるように、Ｌ字状ブラケット５２，５２が接合されており、このブラケット５２，５２に連結部材５４がピン５６，５６により取り付けられている。なお、連結部材５４に穿設され、ピン５６，５６が挿通される孔の一方は長孔５４ａとなっている。
【００１７】
また、図６（ｂ）はテーブルをセットした状態を、図６（ｃ）はテーブルを折り畳んだ状態を示しており、テーブルをセットした状態では、連結部材５４はテーブル面の下方に位置する一方、テーブルを折り畳んだ状態では、連結部材５４は、平板状部材１０，１２に穿設された矩形開口１０ａ，１２ａに収納される。
【００１８】
図７はテーブル面のロック機構を示している。図７に示されるように、平板状部材１２の前部側面には長孔１２ｂ，１２ｂが穿設されており、ロック部材５８，５８の中央に取り付けられたノブ５８ａ，５８ａが遊挿されている。テーブルが折り畳まれた状態では、ノブ５８ａ，５８ａは、長孔１２ｂ，１２ｂの後部に形成された保持部１２ｃ，１２ｃに保持されるとともに、図８に示されるように、後脚８，８の前縁に形成された切欠８ａ，８ａに挿入される一方、ロック部材５８，５８は、平板状部材１２の内側面に取り付けられたブラケット６０，６０に収容されている。また、テーブルがセットされた状態では、ノブ５８ａ，５８ａは、長孔１２ｂ，１２ｂの前部に形成された保持部１２ｄ，１２ｄに保持されるとともに、ロック部材５８，５８は、上記ブラケット６０，６０と、平板状部材１０の内側面に取り付けられたブラケット６２，６２に収容されている。
【００１９】
上記構成を有する本発明にかかる折り畳みテーブルの作用を以下説明する。
図１に示されるように、テーブルが折り畳まれた状態では、ハンドル２２は、スプリング３４，３４の弾性力により図５の矢印Ａ方向に付勢されており、レバー２８，２８を介してリンク２４，２４が下降している。この時、リンク２４，２４の下端は、ロングスライダ４，４の底壁に穿設された開口４ｂ、４ｂ（図８）に嵌入せしめられ、テーブルは折り畳まれた状態でロックされる。
【００２０】
かかる状態では、ロック部材５８，５８のノブ５８ａ，５８ａは、平板状部材１２の前部側面に穿設された長孔１２ｂ，１２ｂの保持部１２ｃ，１２ｃに保持されるとともに、後脚８，８の前縁に形成されたノッチ８ａ，８ａに挿入される一方、二つの平板状部材１０，１２を連結する連結部材５４，５４は、平板状部材１０，１２に穿設された矩形開口１０ａ，１２ａに収容されている（図８）。
【００２１】
図２に示されるように、本発明にかかる折り畳みテーブルを簡易テーブルあるいは簡易ベッドとして使用する場合には、ハンドル２２の操作部２２ａを後方に引っ張ると、スプリング３４，３４の付勢力に抗してハンドル２２がレバー２８，２８と一体的に図５の矢印Ａの逆方向に回転し、リンク２４，２４が持ち上げられる。その結果、リンク２４，２４の下端がロングスライダ４，４の開口４ｂ，４ｂより離脱し、テーブルロックが解除されるので、ハンドル２２の操作部２２ａをさらに後方に引っ張ることにより、後脚８，８の下端に取り付けられたローラ３８，３８がロングスライダ４，４の下面に沿ってスライドし、二つの平板状部材１０，１２が略平坦となるまで、後脚８，８は後方に移動する。
【００２２】
後脚８，８が最後方位置に達した時、ハンドル２２の操作部２２ａより手を離すと、スプリング３４，３４の付勢力によりリンク２４，２４が下降し、その下端が、ロングスライダ４，４の上記開口４ｂ，４ｂより後方に所定距離離間した開口（図示せず）に嵌入せしめられ、テーブルはその位置でロックされる。
【００２３】
この時、平板状部材１２の側面に取り付けられたロック部材５８，５８のノブ５８ａ，５８ａを、長孔１２ｂ，１２ｂの後方保持部１２ｃ，１２ｃより前方保持部１２ｄ，１２ｄまでスライドさせると、ロック部材５８，５８の両端が平板状部材１０に取り付けられたブラケット６２，６２および平板状部材１２に取り付けられたブラケット６０，６０の両方によって保持されるので、二つの平板状部材１０，１２の上面が平坦なテーブル面として保持される。
【００２４】
簡易テーブルあるいは簡易ベッドとして使用後、上記操作と逆の操作をすることによりテーブルは再び折り畳むことができる。
【００２５】
なお、平板状部材１０，１２を連結する連結部材５４，５４の長孔５４ａ，５４ａに挿入されたピン５６，５６は、テーブルの折り畳みに際し、図６の（ｂ）および（ｃ）に示されるように、長孔５４ａ，５４ａに沿ってスライドする。
【００２６】
また、上記実施形態において、テーブルの後脚ロック機構をテーブルの両側に設けたが、片側のみに設けてもよい。
【００２７】
さらに、図１および図２において、後席Ｓは一列のみ図示されているが、二列設けることもできる。
【００２８】
また、本発明にかかる折り畳みテーブルと後席Ｓとを左右一対のロングスライダに載置する構成としたが、前後に分離された別々のスライダに折り畳みテーブルと後席とをそれぞれ載置することもできる。
【００２９】
また、上記実施形態において、テーブルの前脚６，６はロングスライダ４，４に固定されているが、後脚８，８に取り付けられたローラ３８，３８と同様なローラを前脚に取り付けることもできる。この場合、ロングスライダ４，４の底壁にさらに多くのロック用開口を穿設することにより、折り畳みテーブルを任意の位置にセットすることができる。
【００３０】
また、テーブル面を形成する平板状部材は二枚設けたが、必ずしも二枚に限定されるものではない。
【００３１】
【発明の効果】
本発明は、以上説明したように構成されているので、以下に記載されるような効果を奏する。
本発明のうちで請求項１に記載の発明によれば、折り畳みテーブルの一対の前脚をスライダに固定あるいは摺動自在に取り付け、一対の後脚をスライダに摺動自在に取り付ける一方、前脚と後脚との間に少なくとも二つの平板状部材を折り畳み自在に取り付け、少なくとも後脚をスライダにロックする第一ロック機構を設けたので、第一ロック機構により後脚をロックオンあるいはロックオフすることにより、必要に応じ簡易テーブルあるいは簡易ベッドとして使用できるばかりでなく、車内にコンパクトに収納することもできる。
【００３２】
また、請求項２に記載の発明によれば、上記第一ロック機構を、一対の後脚の少なくとも一方に上下動自在に取り付けられたリンクと、該リンクを連動させる第一操作部材とにより構成し、該第一操作部材を操作することによりリンクを対応するスライダと嵌脱させることにより後脚をロックオンあるいはロックオフするようにしたので、テーブルのセットあるいは折り畳みを簡単な操作で行うことができる。
【００３３】
さらに、請求項３に記載の発明によれば、上記平板状部材に第二ロック機構を設け、テーブルのセットあるいは折り畳みに際し、第二ロック機構に設けられた第二操作部材を操作することにより平板状部材を互いにロックオンあるいはロックオフするようにしたので、テーブル面のセットが容易である。
【図面の簡単な説明】
【図１】  本発明にかかる折り畳みテーブルを収容したＲＶ車の概略側面図であり、テーブルが折り畳まれた状態を示している。
【図２】  本発明にかかる折り畳みテーブルを簡易テーブルあるいは簡易ベッドとして使用する場合の図１に示されるＲＶ車の概略側面図である。
【図３】  図１あるいは図２に示される折り畳みテーブルの部分分解斜視図である。
【図４】  ロングスライダに固定された折り畳みテーブルの前脚下部の縦断面図である。
【図５】  折り畳みテーブルの後脚ロック機構を後方に向かって見た場合の部分分解斜視図である。
【図６】  折り畳み自在に取り付けられた二つの平板状部材の連結部材と、連結部材を平板状部材に取り付けるブラケットとを示しており、（ａ）はその分解斜視図であり、（ｂ）はテーブルがセットされた時の状態を示しており、（ｃ）はテーブルが折り畳まれた状態を示している。
【図７】  テーブル面のロック機構を示す分解斜視図である。
【図８】  テーブルが折り畳まれた状態を示す部分断面斜視図である。
【符号の説明】
２      折り畳みテーブル
４      ロングスライダ
６      前脚
８      後脚
１０，１２  平板状部材
１６    Ｔ字ボルト
１８    ナット
２２    ハンドル
２２ａ  操作部
２４    リンク
２８    レバー
３８    ローラ
５４    連結部材
５８    ロック部材
【図１】
0003642855.tif 000002
【図２】
0003642855.tif 000003
【図３】
0003642855.tif 000004
【図４】
0003642855.tif 000005
【図５】
0003642855.tif 000006
【図６】
0003642855.tif 000007
【図７】
0003642855.tif 000008
【図８】
0003642855.tif 000009